(57)【要約】【課題】  本発明は平衡伝送用ケーブルコネクタに関し、第１、第２の信号ワイヤ及びドレンワイヤの中継基板への半田付け接続部の強度の向上を図ることを目的とする。【解決手段】  電線整線部材８０は開口８５ｄを有する。補強用合成樹脂部９０は、半田付け接続部１０１を覆って、且つ、電線整線部材８０の開口８５ｄの奥にまで形成される。補強用合成樹脂部９０は、被覆部２４−１、２４−２の端の部分を、中継基板７０に対して固定し且つ電線整線部材８０に対して固定し、電線整線部材８０を中継基板７０に対して固定する。【選択図】  図５
2005243446.tif 000002
【特許請求の範囲】
【請求項１】
電気絶縁性のブロック体にコンタクトが組み込まれている構造であるコンタクト組立体と、
該コンタクト組立体の背面側にコンタクトと接続して設けてある中継基板と、
該中継基板の端側に配置され、ケーブルの端から出ている複数の被覆電線を上記のコンタクトの並びの方向に整列させる電線整線部材とを有してなり、
上記被覆電線の電気絶縁性の被覆部の端より出ているワイヤが中継基板と機械及び電気的に接続されてケーブルの端に設けてあるケーブルコネクタであって、
上記電線整線部材は、ワイヤが接続されている部分に対向する側に、溶融した合成樹脂を受け入れるための合成樹脂受け入れ部を有する構造であり、
溶融している合成樹脂が凝固して形成された補強用合成樹脂部が上記合成樹脂受け入れ部内にまで形成してあり、
該補強用合成樹脂部がワイヤが接続されている部分を覆うと共に上記被覆電線の被覆部の端の部分を上記中継基板に対して固定した構成としたことを特徴とするケーブルコネクタ。
【請求項２】
電気絶縁性のブロック体にコンタクトが組み込まれている構造であるコンタクト組立体と、
該コンタクト組立体の背面側に配置され、ケーブルの端から出ている複数の被覆電線を上記のコンタクトの並びの方向に整列させる電線整線部材とを有してなり、
上記被覆電線の電気絶縁性の被覆部の端より出ているワイヤがコンタクト組立体のコンタクトと機械及び電気的に接続されてケーブルの端に設けてあるケーブルコネクタであって、
上記電線整線部材は、ワイヤが接続されている部分に対向する側に、溶融した合成樹脂を受け入れるための合成樹脂受け入れ部を有する構造であり、
溶融している合成樹脂が凝固して形成された補強用合成樹脂部が上記合成樹脂受け入れ部内にまで形成してあり、
該補強用合成樹脂部がワイヤが接続されている部分を覆うと共に上記被覆電線の被覆部の端の部分を上記コンタクトに対して固定した構成としたことを特徴とするケーブルコネクタ。
【請求項３】
電気絶縁性のブロック体に、対をなす第１、第２の信号コンタクトと、グランドコンタクトとが、交互に並んで組み込まれている構造であるコンタクト組立体と、
該コンタクト組立体の背面側に上記第１、第２の信号コンタクト及びグランドコンタクトと接続して設けてある中継基板と、
該中継基板の端側に配置してあり、第１、第２の被覆信号電線とドレンワイヤとよりなるペア電線を複数本有し、且つ、該第１、第２の被覆信号電線の電気絶縁性の被覆部の端より第１、第２の信号ワイヤが出ている構造である平衡伝送用ケーブルの端から出ている複数のペア電線を上記のコンタクトの並びの方向に整列させる電線整線部材とを有してなり、
整列されているペア電線の端より延びている上記第１、第２の信号ワイヤ及びドレンワイヤが上記中継基板の端に機械的及び電気的に接続してある構成の平衡伝送用ケーブルコネクタであって、
上記電線整線部材は、ワイヤが接続されている部分に対向する側に、溶融した合成樹脂を受け入れるための合成樹脂受け入れ部を有する構造であり、
溶融している合成樹脂が凝固して形成された補強用合成樹脂部が上記合成樹脂受け入れ部内にまで形成してあり、
該補強用合成樹脂部がワイヤが接続されている部分を覆うと共に上記第１、第２の被覆信号電線の被覆部の端の部分を上記中継基板に対して固定した構成としたことを特徴とするケーブルコネクタ。
【請求項４】
電気絶縁性のブロック体に、対をなす第１、第２の信号コンタクトと、グランドコンタクトとが、交互に並んで組み込まれている構造であるコンタクト組立体と、
該コンタクト組立体の背面側に配置してあり、第１、第２の被覆信号電線とドレンワイヤとよりなるペア電線を複数本有し、且つ、該第１、第２の被覆信号電線の電気絶縁性の被覆部の端より第１、第２の信号ワイヤが出ている構造である平衡伝送用ケーブルの端から出ている複数のペア電線を上記のコンタクトの並びの方向に整列させる電線整線部材とを有してなり、
整列されているペア電線の端より延びている上記第１、第２の信号ワイヤ及びドレンワイヤが上記第１、第２の信号コンタクト及びグランドコンタクトの端部に機械的及び電気的に接続してある構成の平衡伝送用ケーブルコネクタであって、
上記電線整線部材は、ワイヤが接続されている部分に対向する側に、溶融した合成樹脂を受け入れるための合成樹脂受け入れ部を有する構造であり、
溶融している合成樹脂が凝固して形成された補強用合成樹脂部が上記合成樹脂受け入れ部内にまで形成してあり、
該補強用合成樹脂部がワイヤが接続されている部分を覆うと共に上記第１、第２の被覆信号電線の被覆部の端の部分を上記第１、第２の信号コンタクト及びグランドコンタクトに対して固定した構成としたことを特徴とするケーブルコネクタ。
【請求項５】
請求項１乃至請求項４のうち何れか一項記載のケーブルコネクタにおいて、
上記電線整線部材は、その合成樹脂受け入れ部が、上下側に開口を有する形状であることを特徴とするケーブルコネクタ。
【発明の詳細な説明】
【技術分野】
【０００１】
本発明は平衡伝送用ケーブルコネクタに係り、特に高速信号の伝送に適している平衡伝送用ケーブルコネクタに関する。
【０００２】
データの伝送の方式としては、データ毎に一本の電線を使用する通常の伝送方式と、データ毎に対をなす二本の電線を使用して、伝送すべき＋信号とこの＋信号とは大きさが等しく逆向きの−信号とを同時に伝送する平衡伝送方式がある。平衡伝送方式は、通常の伝送方式に比べてノイズの影響を受けにくいという利点を有しており、多く採用されつつある。平衡伝送用ケーブルコネクタは、平衡伝送用ケーブルの端にプラグを備え、プラグの部分がシールドカバーによって覆われている構成であり、平衡伝送方式に適用されて、例えば、コンピュータとサーバとの間の接続に使用される。
【背景技術】
【０００３】
図１及び図２は、従来の平衡伝送用ケーブルコネクタ１０を示す。Ｘ１−Ｘ２、Ｙ１−Ｙ２、Ｚ１−Ｚ２は夫々平衡伝送用ケーブルコネクタ１０の幅方向、長手方向、高さ方向である。Ｙ１は後方、Ｙ２は前方である。平衡伝送用ケーブルコネクタ１０は、図３（Ａ），（Ｂ）に示す構造の平衡伝送用ケーブル２０の端に接続してある。
【０００４】
ここで、説明の便宜上、平衡伝送用ケーブル２０について説明する。平衡伝送用ケーブル２０は、図３（Ａ）に示すように、外部被覆２７と遮蔽網線２８とよりなる二重被覆構造のチューブの内部に多数本のペア電線２１が収まっている構造である。各ペア電線２１は、図３（Ｂ）に示すように、平衡信号伝送用の対をなす第１、第２の被覆信号電線２２−１、２２−２とドレンワイヤ２６とが螺旋状に巻かれた金属テープ２５によって束ねられている構造である。ペア電線２１の端からは、第１、第２の被覆信号電線２２−１、２２−２とドレンワイヤ２６とが外側に延びており、第１、第２の被覆信号電線２２−１、２２−２の先端は処理されて裸の第１、第２の信号ワイヤ２３−１、２３−２が露出している。２４−１、２４−２は電気絶縁性の被覆部である。第１、第２の信号ワイヤ２３−１、２３−２がペア線を構成する。図２に示すように、平衡伝送用ケーブル２０の端は、クランプ部材２７によってかしめられている。
【０００５】
再度、図１及び図２に示すように、プラグ組立体１１のＹ１側に中継基板１２が固定してあり、平衡伝送用ケーブル２０の端の各ペア電線２１が整線部材１５によってＸ方向に整線されており、各ペア電線２１の端より更に延びている第１、第２の信号ワイヤ２３−１、２３−２及びドレンワイヤ２６が中継基板１２のＹ１側の端子部に符号１４で示すように半田付け接続してある。シールドカバー３１、３２が、プラグ組立体１１、中継基板１２、及び電線整線部材１５を覆っており、且つクランプ部材２７と嵌合しており、プラグ組立体１１及びクランプ部材２７については、Ｙ方向の動きを拘束している。１６は合成樹脂部であり、信号ワイヤ等を半田付けした後に、溶融状態の合成樹脂を盛って凝固させて形成した部分であり、第１、第２の信号ワイヤ２３−１、２３−２及びドレンワイヤ２６が中継基板１２のＹ１側の端子部に半田付け接続してある部分を覆っており、この半田付け接続部１４を補強している。
【特許文献１】特開２００３−０５９５９３号公報
【発明の開示】
【発明が解決しようとする課題】
【０００６】
上記の平衡伝送用ケーブルコネクタ１０は、クランプ部材２７がシールドカバー３１、３２に固定されており、基本的には、コンピュータのソケットに挿入して接続したりソケットから引き抜く操作に伴う平衡伝送用ケーブル２０の湾曲の影響がケーブルコネクタ１０の内部にまでは及ばないように、具体的には、半田付け接続部１４にまでには及ばない構造となっている。
【０００７】
しかし、各ペア電線２１はチューブによって束ねられている構造であり互いには固定されてはいず、特にクランプ部材２７によるクランプ力が十分でない場合等にあっては、平衡伝送用ケーブル２０を引っ張たり湾曲させた場合に、或るペア電線２１については引っ張り力がクランプ部材２７の個所を越えて、ケーブルコネクタ１０の内部にまで伝わってしまう。
【０００８】
ここで、合成樹脂部１６が存在する部分は中継基板１２の上面及び下面の部分に限られているため、クランプ部材２７の個所を越えて伝わってきた引っ張り力は、電線整線部材１５を越えて、合成樹脂部１６で覆われている半田付け接続部１４にまで及び、半田付け接続部１４に応力が作用してしまう。
【０００９】
本発明は、上記の点に鑑みなされたものであり、ワイヤの中継基板への半田付け接続部の強度の向上を図ったケーブルコネクタを提供することを目的とする。
【課題を解決するための手段】
【００１０】
そこで、上記課題を解決するため、本発明は、電気絶縁性のブロック体にコンタクトが組み込まれている構造であるコンタクト組立体と、
該コンタクト組立体の背面側にコンタクトと接続して設けてある中継基板と、
該中継基板の端側に配置され、ケーブルの端から出ている複数の被覆電線を上記のコンタクトの並びの方向に整列させる電線整線部材とを有してなり、
上記被覆電線の電気絶縁性の被覆部の端より出ているワイヤが中継基板と機械及び電気的に接続されてケーブルの端に設けてあるケーブルコネクタであって、
上記電線整線部材は、ワイヤが接続されている部分に対向する側に、溶融した合成樹脂を受け入れるための合成樹脂受け入れ部を有する構造であり、
溶融している合成樹脂が凝固して形成された補強用合成樹脂部が上記合成樹脂受け入れ部内にまで形成してあり、
該補強用合成樹脂部がワイヤが接続されている部分を覆うと共に上記被覆電線の被覆部の端の部分を上記中継基板に対して固定した構成としたことを特徴とする。
【発明の効果】
【００１１】
本発明によれば、補強用合成樹脂部が電線整線部材の合成樹脂受け入れ部内にまで形成されて、ワイヤが接続されている部分を覆うと共に被覆電線の被覆部の端の部分を中継基板に対して固定しているため、ケーブルを引っ張ったり湾曲させたりした場合に、引っ張り力が被覆電線を通してケーブルコネクタの内部にまで伝わってきた場合であっても、この引っ張り力は、被覆部の端の部分を中継基板に対して固定している補強用合成樹脂部によってしっかりと受け止められ、ワイヤが接続されている部分には影響が及ばないように出来る。
【発明を実施するための最良の形態】
【００１２】
次に本発明の実施の形態について説明する。
【実施例】
【００１３】
図４は本発明の実施例１になる平衡伝送用ケーブルコネクタ５０を分解して示し、図５（Ａ）は断面して示す。Ｘ１−Ｘ２、Ｙ１−Ｙ２、Ｚ１−Ｚ２は夫々平衡伝送用ケーブルコネクタ５０の幅方向、長手方向、高さ方向である。Ｙ１は後方、Ｙ２は前方である。
【００１４】
図４及び図５（Ａ）に示すように、平衡伝送用ケーブルコネクタ５０は、シールドカバー５１、５２が、プラグ組立体６０、中継基板７０、電線整線部材８０及び平衡伝送用ケーブル２０の端部を覆っており、平衡伝送用ケーブル２０の端と接続されている構造であり、図１及び図２に示す従来のケーブルコネクタ１０とは、概略的には、補強用合成樹脂部９０が形成されている範囲が相違する。
【００１５】
コンタクト組立体６０は、電気絶縁性のブロック体６１に、対をなす第１、第２の信号コンタクト６２，６３と、グランドコンタクト６４とが、Ｘ方向上交互に並んで組み込まれている構造である。中継基板７０は、上面と下面とに、信号パターン及びグランドパターン（共に図示せず）が形成してあり、各信号パターンはＹ方向に平行に延在しており、その両端に端子パッド７１を有する。中継基板７０は、コンタクト組立体６０のＹ１側に嵌合されており、信号コンタクト６２，６３及びグランドコンタクト６４のＹ１側端が信号パターン及びグランドパターンと半田付けされている。
【００１６】
電線整線部材８０は、外形が直方体であり、そのＹ１側には、ペア電線２１を整線するペア電線整線部８１を有し、そのＹ２側には、そのＸ１、Ｘ２端側に、中継基板７０と嵌合する凹部８２，８３を有し、且つ、凹部８２，８３の間に跨る合成樹脂受け入れ部としての凹部８５を有する。凹部８５は、主に、Ｚ１側フランジ部８６及びＺ２側フランジ部８７によって形成されており、Ｚ１側内面８５ａ、Ｚ２側内面８５ｂ、Ｙ１側底面８５ｃによって囲まれた空間であり、Ｙ２側に開口８５ｄを有し、信号ワイヤ２３−１、２３−２及びドレンワイヤ２５が半田付けしてある状態の中継基板７０を受け入れるに十分な大きさである。Ｚ方向は、凹部８２（８３）のＺ１側の面よりもＺ１方向に寸法ｚ１大きく、凹部８２（８３）のＺ２側の面よりもＺ２方向に寸法ｚ２大きく、Ｙ方向は、凹部８２（８３）の底面よりもＹ１方向に寸法ｙ１大きい。Ｙ１側底面８５ｃは、ペア電線整線部８１のＹ２側の端面である。ペア電線整線部８１は、Ｚ方向に対向する一対の半円弧部がＸ方向に並んでいる構成である。対向する一対の半円弧部が、一本のペア電線の断面形状に対応する形状を形成し、通された一本のペア電線の位置を拘束する。
【００１７】
次に、平衡伝送用ケーブルコネクタ５０の製造の手順を説明しつつ、平衡伝送用ケーブルコネクタ５０の構造を説明する。
【００１８】
平衡伝送用ケーブル２０の処理された端部は、電線整線部材８０のペア電線整線部８１にＹ１側から通され、図６に示すように整線される。第１、第２の被覆信号電線２２−１、２２−２の被覆部２４−１、２４−２が開口８５ｄ内に突き出している。
【００１９】
コンタクト組立体６０に接続してある中継基板７０のＹ１端側と、ペア電線２１を整線している電線整線部材８０のＹ２端側とを、中継基板７０の端を凹部８２，８３に嵌合させて組み合わせる。次いで、第１、第２の信号ワイヤ２３−１、２３−２及びドレンワイヤ２５を中継基板７０のＹ１側の端子部７１に半田付けし、図７（Ａ）に示す第１段階の仮り組立て体１００が完成する。凹部８５内には、被覆部２４−１、２４−２の端の部分及び中継基板１２のＹ１側端の部分が進入している。符号１０１は半田付け接続部である。
【００２０】
次いで、図７（Ｂ）に示すように、仮り組立て体１００を、補強用合成樹脂部成形用治具１５０にセットする。治具１５０は、凹部１５２を有する上金型１５１と、凹部１５６を有する下金型１５５とよりなり、仮り組立て体１００の電線整線部材８０及び中継基板７０のＹ１側の部分を、下金型１５１と上金型１５５との間に挟み込む。これによって、キャビティ１６０，１６１が、第１、第２の信号ワイヤ２３−１、２３−２及びドレンワイヤ２５のうち中継基板１２に半田付けした部分及び半田付け接続部１０１を囲み、且つ、上記の開口８５ｄのうちのＺ１側及びＺ２側の部分と連通して形成される。
【００２１】
続いて、図８（Ａ）に示すように、シリンジ１５７，１５８を使用して上金型１５１の孔１５３及び下金型１５５の孔１５８より、１００℃程度に加熱されて溶融している例えばポリアミド等の熱可塑性樹脂を注入する。これによって、溶融している熱可塑性樹脂１５９がキャビティ１６０、１６１内を埋め、且つ、開口８５ｄ内に進入して開口８５ｄ内を埋める。また、第１、第２の被覆信号電線２２−１、２２−２の端側の部分を取り囲む。注入された樹脂が常温にまで冷却されて凝固して、図８（Ｂ）に示すように、補強用合成樹脂部９０が形成される。
【００２２】
この後に、治具１５０を開いて、仮り組立て体を取り出す。治具１５０を開くと、図８（Ｃ）に示すように、補強用合成樹脂部９０が形成された、第２段階の仮り組立て体１１０が取り出される。この補強用合成樹脂部９０は、中継基板７０のうち第１、第２の信号ワイヤ２３−１、２３−２及びドレンワイヤ２５の先端の位置Ｐ２よりもＹ２側の位置Ｐ１より、半田付け接続部１０１を通過しこれを越えて、更に、電気絶縁性の被覆部２４−１、２４−２の先端の位置Ｐ３１を越えて電線整線部材８０の開口８５ｄの奥の位置Ｐ４にまで到る領域９１に亘って存在する。
【００２３】
よって、補強用合成樹脂部９０によって、半田付け接続部１０１が覆われると共に、図５（Ｂ）に示すように、中継基板７０と電線整線部材８０と第１、第２の被覆信号電線２２−１、２２−２の被覆部２４−１、２４−２の端の部分とが相互に固定される。即ち、被覆部２４−１、２４−２の端の部分は中継基板７０に対して固定され且つ電線整線部材８０に対して固定される。電線整線部材８０は中継基板７０に対して固定される。
【００２４】
最後に、図５に示すように、シールドカバー５１とシールドカバー５２とがこの第２段階の仮り組立て体１１０を覆い、クランプ部材２７が嵌合される。これによって、平衡伝送用ケーブルコネクタ５０が完成する。ケーブルコネクタ５０は、補強用合成樹脂部９０によって、被覆部２４−１、２４−２の端の部分が中継基板７０に対して固定され且つ電線整線部材８０に対して固定され、電線整線部材８０が中継基板７０に対して固定された状態となる。
【００２５】
ケーブルコネクタ５０の取り扱い中に、平衡伝送用ケーブル２０が引っ張られたり湾曲された場合に、或るペア電線２１については引っ張り力がクランプ部材２７の個所を越えて、ケーブルコネクタ５０の内部にまで伝わってきたとしても、引っ張り力は第１、第２の被覆信号電線２２−１、２２−２の被覆部２４−１、２４−２の端の部分、即ち、半田付け接続部１０１の手前の位置でしっかり受け止められ、半田付け接続部１０１には到らない。また、整線部材８０が中継基板１２に対して独立してずれることも起きず、整線部材８０が中継基板７０に対して独立してずれることに起因する半田付け部への応力の発生も起きない。よって、平衡伝送用ケーブルコネクタ５０は、半田付け接続部１０１について従来に比較して高い信頼性を有する。
【００２６】
図９は本発明の実施例２になる平衡伝送用ケーブルコネクタ５０Ａを分解して示し、図１０（Ａ）は断面して示す。ケーブルコネクタ５０Ａは、図４及び図５に示すケーブルコネクタ５０とは、電線整線部材８０Ａの形状が相違し、これに伴って補強用合成樹脂部９０Ａの形状が相違する。
【００２７】
電線整線部材８０Ａは、図４中の電線整線部材８０のＺ１側フランジ部８６及びＺ２側フランジ部８７を取り除いて、Ｚ１及びＺ２側に共に開口８５Ａｅ、８５Ａｆを有する構成である。開口８５Ａｅ、８５Ａｆは、開口８５Ａａと連通している。補強用合成樹脂部９０Ａは、開口８５Ａａの部分に加えて上記の開口８５Ａｅ、８５Ａｆの部分を埋めてＺ１及びＺ２方向に突き出した部分９０Ａａ、９０Ａｂを有する。図１０（Ｂ）に示すように、中継基板７０と電線整線部材８０Ａと第１、第２の被覆信号電線２２−１、２２−２の被覆部２４−１、２４−２の端の部分とが相互に固定される。即ち、被覆部２４−１、２４−２の端の部は中継基板７０に対して固定され且つ電線整線部材８０Ａに対して固定される。電線整線部材８０Ａは中継基板７０に対して固定される。
【００２８】
Ｚ１及びＺ２側が共に開口８５Ａｅ、８５Ａｆであるため、溶融している熱可塑性樹脂の電線整線部材８０Ａ内への進入が容易である。
【００２９】
図１１は本発明の実施例３になる平衡伝送用ケーブルコネクタ５０Ｂを分解して示し、図１２（Ａ）は断面して示す。ケーブルコネクタ５０Ｂは、図４に示すケーブルコネクタ５０とは、中継基板７０を有していない点が相違する。
【００３０】
信号ワイヤ２３−１、２３−２及びドレンワイヤ２５は、コンタクト組立体６０Ｂの信号コンタクト６２Ｂ，６３Ｂ及びグランドコンタクト６４ＢのＹ１側端と直接に半田付けされている。１０１Ｂは半田付け接続部である。
【００３１】
電線整線部材８０はブロック体６１Ｂの両側の腕部６１Ｂａと嵌合して連結されている。補強用合成樹脂部９０Ｂは、信号コンタクト６２Ｂ，６３Ｂ及びグランドコンタクト６４ＢのＹ１側端の部分及び半田付け接続部１０１Ｂを包み込み、且つ、凹部８５の内部を埋めて被覆部２４−１、２４−２の端の部分を包み込んでいる。図１２（Ｂ）に示すように、補強用合成樹脂部９０Ｂによって、信号コンタクト６２Ｂ，６３Ｂと電線整線部材８０と第１、第２の被覆信号電線２２−１、２２−２の被覆部２４−１、２４−２の端の部分とが相互に固定される。即ち、被覆部２４−１、２４−２の端の部分は信号コンタクト６２Ｂ，６３Ｂに対して固定され且つ電線整線部材８０に対して固定される。よって、ケーブルコネクタ５０Ｂの取り扱い中に、平衡伝送用ケーブル２０が湾曲された場合に、或るペア電線２１について引っ張り力がクランプ部材２７の個所を越えて、ケーブルコネクタ５０の内部にまで伝わってきたとしても、引っ張り力は被覆部２４−１、２４−２の端の部分でもって受け止められ、半田付け接続部１０１Ｂには到らない。また、整線部材８０が信号コンタクト６２Ｂ，６３Ｂ及びグランドコンタクト６４Ｂに対して独立してずれることも起きず、整線部材８０がコンタクト６２Ｂ，６３Ｂ、６４Ｂに対して独立してずれることに起因する半田付け部への応力の発生も起きない。よって、平衡伝送用ケーブルコネクタ５０Ｃは、半田付け接続部１０１Ｂについて従来に比較して高い信頼性を有する。
【００３２】
なお、信号ワイヤ２３−１、２３−２及びドレンワイヤ２６と相手方との機械及び電気的接続は半田付けに限らず、電気溶接でもよい。
【００３３】
また、本発明は、平衡伝送用ケーブルコネクタに限らずに、通常のケーブルの端が整線されて接続されているケーブルコネクタにも適用出来る。
【図面の簡単な説明】
【００３４】
【図１】従来の平衡伝送用ケーブルコネクタの分解斜視図である。
【図２】図１の平衡伝送用ケーブルコネクタの断面図である。
【図３】平衡伝送用ケーブルを示す図である。
【図４】本発明の実施例１の平衡伝送用ケーブルコネクタの分解斜視図である。
【図５】図４の平衡伝送用ケーブルコネクタの断面図である。
【図６】平衡伝送用ケーブルの端のペア電線を整線した状態を示す図である。
【図７】図４の平衡伝送用ケーブルコネクタの製造の工程を説明する図である。
【図８】図７（Ｃ）に続く製造の工程を説明する図である。
【図９】本発明の実施例２の平衡伝送用ケーブルコネクタの分解斜視図である。
【図１０】図９の平衡伝送用ケーブルコネクタの断面図である。
【図１１】本発明の実施例３の平衡伝送用ケーブルコネクタの分解斜視図である。
【図１２】図１１の平衡伝送用ケーブルコネクタの断面図である。
【符号の説明】
【００３５】
２０  平衡伝送用ケーブル
２１  ペア電線
２２−１、２２−２  第１、第２の被覆信号電線
２３−１、２３−２  第１、第２の信号ワイヤ
２４−１、２４−２  被覆部
２６  ドレンワイヤ
５０、５０Ａ，５０Ｂ  平衡伝送用ケーブルコネクタ
６０  プラグ組立体
６１  ブロック体
６２，６３  信号コンタクト
６４  グランドコンタクト
７０  中継基板
８０、８０Ａ  電線整線部材
８１  ペア電線整線部
８５  凹部
９０  補強用合成樹脂部
【図１】
2005243446.tif 000003
【図２】
2005243446.tif 000004
【図３】
2005243446.tif 000005
【図４】
2005243446.tif 000006
【図５】
2005243446.tif 000007
【図６】
2005243446.tif 000008
【図７】
2005243446.tif 000009
【図８】
2005243446.tif 000010
【図９】
2005243446.tif 000011
【図１０】
2005243446.tif 000012
【図１１】
2005243446.tif 000013
【図１２】
2005243446.tif 000014